(57)【要約】【課題】      防煙シャッターの障害物検知用座板スイッチからのコード巻取用コードリールを天井スペースに設置することによって天井が低くなり室内空間が縮小するのを防止する。【解決手段】  座板スイッチ１２のコード１５巻取用コードリール６を，まぐさ５１先端の取付台６４を介して該まぐさ５１の先端から突出して固定することによってシャッターカーテン１の巻取シャフト３巻径と重なるようにその巻取回転方向前方に配置して天井を高く設置できるようにする。まぐさ５１におけるシャッターカーテン１の呑込開口８１位置には，シャッターカーテン１の撓み防止部材を兼用するコンパクトなコードガイド７を設置しコード１５の方向転換を行なうとともにシャッターカーテン１の幅方向中間位置の撓みを防止してスムーズな開閉ができるようにする。【選択図】    図５
2006257644.tif 000002
【特許請求の範囲】
【請求項１】
幅方向両側のガイドレールによってシャッターカーテンを天井スペースに巻取り自在とするとともに上記シャッターカーテン下端に配置した座板スイッチからのコードを上記天井スペースに配置したコード巻取用コードリールに巻取自在としたシャッターであって，上記座板スイッチのコード巻取用コードリールをシャッターカーテン巻取シャフトの巻径と重なるように該巻取シャフトの巻取回転方向前方に配置してなることを特徴とするシャッター。
【請求項２】
上記座板スイッチからコードリールに至るまぐさのシャッターカーテン呑込開口位置にコード方向転換用のコードガイドを設置してなることを特徴とする請求項１に記載のシャッター。
【請求項３】
上記コード方向転換用のコードガイドを，上記呑込開口側を湾曲面として長手方向両側又は片側に配置した隆起部と，該隆起部より下位に段差を付して一体に配置した上記コード用のガイド面とを有する成形部材によって形成し，該成形部材をシャッターカーテン呑込開口の長手方向適宜位置に兼用設置してその隆起部の上記湾曲面によってシャッターカーテンの撓みを防止してなることを特徴とする請求項２に記載のシャッター。
【発明の詳細な説明】
【技術分野】
【０００１】
本発明はシャッターに関し，特に障害物検知用の座板スイッチを有するシャッターに関する。
【背景技術】
【０００２】
この種シャッターとして，障害物検知のためにシャッターカーテン下端に座板スイッチを配置し，シャッターカーテン降下閉成時に該座板スイッチが障害物に触れた際にシャッターカーテンの開閉作動を一時的に停止又は上昇して再度降下するようにした防煙シャッターが知られており，このとき座板スイッチの障害物検知の信号を送るコード（リード線）を座板スイッチから制御装置間に配置してシャッターカーテン作動の制御を行なうものとされる。コードはシャッターカーテンに沿ってその幅方向端部に配置され，その上下巻取り方向上端にしてシャッターカーテンを天井に受入れるように天井に開口したシャッターカーテン呑込開口位置に設置したコードリールによってシャッターカーテンの作動に応じた巻取り巻戻しを行なうものとされている。
【０００３】
【特許文献１】特開２０００−２３０３８３号公報
【発明の開示】
【発明が解決しようとする課題】
【０００４】
しかしこの場合，シャッターカーテン呑込開口上にはシャッターカーテン巻取シャフトが配置されシャッターカーテンを巻取り巻戻しするものとされるから，シャッターカーテン呑込開口に設置したコードリールはシャッターカーテン巻取シャフトの下位に配置されることになる。シャッターカーテンを巻き取った状態の巻取シャフトの巻径は２５ｃｍ程度，コードリール高さは１０ｃｍ程度であり，シャッターカーテンのガイドレール上端の呑込寸法５ｃｍ程度を加えると最低でも合計４０ｃｍ程度の高さとなり，これをコンクリートスラブと天井間に設置するには，コンクリートスラブとの間隔，巻取シャフトとコードリールとの間隔等も必要となり，結局この種の防煙シャッターを設置する建造物における天井スペースの高さをコンクリートスラブ下面から５０〜６０ｃｍ程度確保する必要が生じる結果，天井面が低くなって室内空間の高さが減少する傾向を招き易い。
【０００５】
本発明はかかる事情に鑑みてなされたもので，その解決課題とするところは，この種のシャッターカーテン下端に座板スイッチを有するシャッターを設置するについて，可及的に天井スペースの高さを縮小し天井面を上昇して室内空間の高さを確保し得るようにしたシャッターを提供するにある。
【課題を解決するための手段】
【０００６】
上記課題に添って本発明は，上記座板スイッチのコード巻取用コードリールをシャッター巻取シャフトの巻径内に納め又は該巻径がその大半を吸収するように該シャッターカーテン巻取シャフトの巻径と重なるようにシャッターカーテンの巻取シャフト回転方向前方に配置することによって，その高さ，巻取シャフトとの間隔を天井スペースから除外してその分天井面を上昇するようにしたものであって，即ち請求項１に記載の発明を，幅方向両側のガイドレールによってシャッターカーテンを天井スペースに巻取り自在とするとともに上記シャッターカーテン下端に配置した座板スイッチからのコードを上記天井スペースに配置したコード巻取用コードリールに巻取自在としたシャッターであって，上記座板スイッチのコード巻取用コードリールをシャッターカーテン巻取シャフトの巻径と重なるように該巻取シャフトの巻取回転方向前方に配置してなることを特徴とするシャッターとしたものである。
【０００７】
請求項２に記載の発明は，上記に加えて，上記コードリールをシャッターカーテン巻取シャフトの回転方向前方に配置することによって生じるコードが呑込開口に接触摺動することに起因するシャッターカーテン開閉作動による呑込開口の損傷を防止して，コードのスムーズ且つ確実な方向転換を行うとともにそのコードリールの巻取り巻戻しを可及的容易になし得るものとするように，これを，上記座板スイッチからコードリールに至るまぐさのシャッターカーテン呑込開口位置にコード方向転換用のコードガイドを設置してなることを特徴とする請求項１に記載のシャッターとしたものである。
【０００８】
上記コードリールをシャッター巻取シャフトの巻径と重なるように配置しても，シャッターカーテンの長手方向中間の撓みを防止するために押し車やこれに代えた撓み防止部材（例えば特開２０００−１９２７５８号公報参照）を配置すると，その高さ寸法によって天井面の上昇が妨げられる可能性が強いから，請求項３に記載の発明は，同じく上記に加えて，上記コード方向転換用に用いるコードガイドと該押し車乃至撓み防止部材を兼用部材とし，該兼用部材を共通に使用して上記コード方向転換とシャッターカーテンの撓み防止を可能とするように，これを，上記コード方向転換用のコードガイドを，上記呑込開口側を湾曲面として長手方向両側又は片側に配置した隆起部と，該隆起部より下位に段差を付して一体に配置した上記コード用のガイド面とを有する成形部材によって形成し，該成形部材をシャッターカーテン呑込開口の長手方向適宜位置に兼用設置してその隆起部の上記湾曲面によってシャッターカーテンの撓みを防止してなることを特徴とする請求項２に記載のシャッターとしたものである。
【０００９】
本発明はこれらをそれぞれ発明の要旨として上記課題解決の手段としたものである。
【発明の効果】
【００１０】
本発明は以上のとおりに構成したから，請求項１に記載の発明は，上記座板スイッチのコード巻取用コードリールをシャッター巻取シャフトの巻径内に納め又は該巻径がその大半を吸収するように該シャッターカーテン巻取シャフトの巻径と重なるようにシャッターカーテンの巻取シャフト回転方向前方に配置することによって，その高さ，巻取シャフトとの間隔を天井スペースから除外し，この種のシャッターカーテン下端に座板スイッチを有するシャッターを設置するについて，可及的に天井スペースの高さを縮小し天井面を上昇して室内空間の高さを確保し得るようにしたシャッターを提供することができる。
【００１１】
請求項２に記載の発明は，上記に加えて，上記コードリールをシャッターカーテン巻取シャフトの回転方向前方に配置することによって生じるコードが呑込開口に接触摺動することに起因するシャッターカーテン開閉作動による呑込開口の損傷を防止して，コードのスムーズ且つ確実な方向転換を行うとともにそのコードリールの巻取り巻戻しを可及的容易になし得るものとすることができる。
【００１２】
請求項３に記載の発明は，同じく上記に加えて，上記コード方向転換用に用いるコードガイドと押し車乃至撓み防止部材を兼用部材とし，該兼用部材を共通に使用して上記コード方向転換とシャッターカーテンの撓み防止を可能とすることができる。
【発明を実施するための最良の形態】
【００１３】
以下図面の例に従って本発明を更に具体的に説明すれば，Ａは，本例にあって防煙シャッターとしたシャッターであり，該シャッターＡは，幅方向両側のガイドレール２によってシャッターカーテン１を天井スペースに巻取り自在としてあり，シャッターカーテン１はシャッタースラット１１を前後一方向に屈曲自在に連結してあり，該シャッターカーテン１は，常法に従って天井スペースに設置したモーター４駆動のシャッターカーテン巻取シャフト３の正回転に応じて該巻取シャフト３に巻取り上昇し，逆回転に応じてシャッターカーテン１の自重で巻戻し降下することによって，天井８に溝状に透設した呑込開口８１を介して天井スペースと天井下の開口部間でシャッターカーテン１を開閉作動するようにしてある。
【００１４】
シャッターカーテン１には，その下端に障害物検知用の座板スイッチ１２を配置し，シャッターカーテン１の開閉作動，特にその降下閉成時に障害物が存在したときにタッチプレート１４が障害物に接触しマイクロスイッチを作動して，その検知信号を上記天井スペースに設置したモーター４の制御装置に送って，上記モーター４の駆動を一時的に停止又は逆回転するようにコントロールし，該シャッターカーテン１の降下閉成を一時的に停止又は一時的に巻取り上昇することによってシャッターカーテン１降下閉成に伴う安全性を確保したものとしてある。
【００１５】
このときシャッターＡにあって，座板スイッチ１２からのコード１５は，これを上記天井スペースに配置したコード巻取用コードリール６に巻取自在としてあり，該座板スイッチ１２からのコード巻取用コードリール６は，これをシャッターカーテン巻取シャフト３の巻径と重なるように該巻取シャフト３の巻取回転方向前方に配置し，また上記座板スイッチ１２からコードリール６に至るまぐさ５１のシャッターカーテン呑込開口８１位置にコード方向転換用のコードガイド７を設置してある。
【００１６】
本例にあって座板スイッチ１２は，そのマイクロスイッチからのコード１５を座板１３内を通過して該座板１３の長手方向端部の切欠孔を介して座板１３の外部に引出すとともに該座板１３の長手方向中間位置のコード立上げ部材を介してシャッターカーテン１幅方向一側寄りの中間位置から上向きに立上げて，上記巻取シャフト３を側板に軸支したシャッターケース５の底板をなすように配置したまぐさ５１上を通過してコードリール６に巻取自在としてある。
【００１７】
コード巻取用コードリール６は，まぐさ５１，即ち本例にあっては上記シャッターケース５の底板に取付板６３を重合してネジ６５固定することによって該まぐさ５１の先端から巻取方向前方に対向起立するように突設した取付台６４にコードリール６の側板６１をネジ６５固定し，その巻取リール６２を上記座板スイッチ１２からのコード１５を巻取シャフト３と同一の正逆方向に向けて回転自在とするようにまぐさ５１の巻取方向前方に突出してその設置を行ってある。
【００１８】
これによって該コードリール６は，上記シャッターケース５の高さ範囲内に納めることにより上記巻取シャフト３の巻径と重なるように配置し，上記モーター４駆動の巻取シャフト３によるシャッターカーテン１の昇降開閉に応じてそれぞれ正逆方向に回転し，該シャッターカーテン１の昇降開閉に応じて昇降する座板スイッチ１２からのコ   ード１５をその巻取リール６２が巻取りまた巻戻することによりシャッターカーテン１上昇開成時のコード１５の弛みを吸収し，またシャッターカーテン１降下閉成時にコード１５を繰り出して，シャッターカーテン１の昇降開閉に連動してコード１５の処理を行なうようにしてある。
【００１９】
本例にあって上記コード方向転換用のコードガイド７は，これを，上記呑込開口８１側を湾曲面として長手方向両側又は片側に配置した隆起部７１と，該隆起部７１より下位に段差を付して一体に配置した上記コード１５用のガイド面７２とを有する成形部材によって形成したものとし，このとき該成形部材は，これを，シャッターカーテン呑込開口８１の長手方向適宜位置に兼用設置してその隆起部７１の上記湾曲面によってシャッターカーテン１の撓みを防止したものとしてある。
【００２０】
即ち本例のコードガイド７は，ポリプロピレン，硬質ナイロン等の合成樹脂，特に硬質系合成樹脂を射出成形した合成樹脂製，アルミ等を鋳造成形した鋳造金属製の一体成形ブロック状の成形部材，本例にあっては合成樹脂製の成形部材によって形成してある。このとき本例のコードガイド７は，その幅方向両側に上記湾曲面とした一対の隆起部７１を，該隆起部７１間に同じく湾曲面としてこれより下位に段差を付した凹陥したガイド面７２を配置することによって，上記両側の隆起部７１がガイド面７２の側壁をなして該ガイド面７２を湾曲溝としたブロックによるものとしてあり，本例にあって該コードガイド７は，例えば幅１０ｃｍ程度，高さ３ｃｍ程度にして幅方向に隆起部７１とガイド面７２をそれぞれ数ｃｍ程度に配置し，また隆起部７１とガイド面７２の段差を１ｃｍ以下程度とし，隆起部７１の湾曲面を半径１．５ｃｍ程度，ガイド面７２の湾曲面を半径２ｃｍ程度としたものとしてあり，またこのとき上記隆起部７１にはそれぞれネジ止め用の透孔７３を透設した，比較的高さを低くしたコンパクトのものとしてある。
【００２１】
該コードガイド７は，これを上記まぐさ５１の呑込開口８１位置に設置してあり，本例にあって該コードガイド７の設置は，まぐさ５１の裏面にネジ受用の固定板乃至固定ブロック，本例では固定ブロック７４を用い，コードガイド７と該固定ブロック７４とを上記コード立上げ部材の直上に位置するようにまぐさ５１の呑込開口８１側端部の傾斜面を挟んでその表裏に配置し，例えばコードガイド７側からのタップネジでネジ７５止めすることによって行なってあり，これによって該コードガイド７は，そのガイド面７２が座板スイッチ１２からのコード１５を摺動させて，シャッターカーテン巻取シャフト３の巻取方向前方のコードリール６に向けたスムーズ且つ確実な方向転換を行なうようにしてある。
【００２２】
このとき上記コードガイド７は，上記隆起部７１を湾曲面とすることによってシャッターカーテン１の撓み防止部材を兼用する兼用部品としてあり，該兼用部品としてのコードガイド７は，上記コード１５の方向転換用としての配置とともに，更に単一又は複数のコードガイド７を同様にまぐさ  の呑込開口８１の長手方向適宜位置において，同じく固定板乃至固定ブロック，本例では上記と共通の固定ブロック７４とによって上記まぐさ５１の傾斜面を挟んでネジ止めして配置し，その一対の隆起部７１の湾曲面によって，呑込開口８１の長手方向中間位置，特に中央位置で該呑込開口８１を通過するシャッタースラット１１を順次定位置で裏支え状に押え支持することによって，上記ガイドレール２からその前後方向に位置をずらして設置された巻取シャフト３に向けてシャッターカーテン１が傾斜しながら巻取り進行するに際してシャッターカーテン１の幅方向中間部にその荷重によって生じる撓みを防止してシャッターカーテン１のスムーズ且つ確実な昇降開閉をなし得るようにしてある。
【００２３】
以上のように構成した本例の防煙シャッターＡにあっては，例えば１０ｃｍ程度の高さに形成したコードリール６を，シャッターケース１の高さ範囲内に納めることによりシャッターカーテン巻取シャフト３の巻径によって吸収し，該コードリール６を該巻取シャフト３の下位に配置した従来の配置に比して，該コードリール６の高さとその下位への配置に際して必要の間隔の合計で天井高さを１５〜２０ｃｍ程度縮小することができ，従って一般に５０〜６０ｃｍ程度とされるコンクリートスラブと天井８間の天井スペース高さを１／３程度に亘って大きく縮小し，その分室内空間の天井高さを高く確保することが可能となる。
【００２４】
また座板スイッチ１２からのコード１５をその直上位置で，上記巻取シャフト３の回転方向前方に配置したコードリール６に対して上記合成樹脂製のコードガイド７により方向転換することによって，コード１５が呑込開口８１に接触摺動することに起因するシャッターカーテン１開閉作動による呑込開口８１，特にまぐさ５１の損傷を防止するとともにコード１５が摺動する騒音の発生を防止して，そのスムーズ且つ確実な方向転換を行ってコードリール６によるコード１５の巻取り巻戻しを可及的容易になし得るようにするとともに該コードガイド７を合成樹脂製にして比較的高さを低くしてコンパクトなブロック状成形部材として形成し，これをまぐさ５１の呑込開口８１側に設置したことによってコードリール６の配置によって上記１／３程度縮小した天井高さに全く影響することなく，上記コード１５の方向変換を行なうことができる。更に該合成樹脂製のコードガイド７を上記シャッターカーテン１の撓み防止部材を兼用する兼用部品とし，上記コード１５の方向転換とともにシャッターカーテン１の撓み防止部材として兼用することによって，シャッターカーテン１との接触によるシャッターカーテン１に対する損傷や騒音を防止するとともに，従来使用されている押し車やこれに代えた撓み防止部材を使用した場合のように天井面の上昇を妨げることなく，上記コードリール６を巻取シャフト３の回転方向前方に配置して得られる天井高さ，本例にあっては上記天井スペースを１／３程度縮小したことによる天井８高さを維持することができる。
【００２５】
図中２１はガイドレール２上端に設置してシャッターカーテン１をガイドレール２に導入するレール呑込口，６６はコードリール６正面にネジ止め設置して巻取リール３へのコード１５をスムーズに案内するように配置したガイドプレートを示す。
【００２６】
図示した例は以上のとおりとしたが，コードリールを，まぐさから更に上方に持上げ支持し，またシャッターケースを使用するときその縦板に固定することによって，上記巻取シャフトの巻径と重なるように該巻取シャフトの巻取回転方向前方に配置すること，シャッターカーテンの撓み防止部材を兼用する兼用部品としてコードガイドを用いるとき，その湾曲面とした隆起部を幅方向片側に配置して該隆起部にガイド面を並置するように配置すること，このとき必要に応じて非隆起部側にコード外れ止め用の側壁を起立配置すること，コードガイドを鋳造金属製とすること，コードガイドを接触の損傷や騒音を防止する滑動消音部材をコード又はシャッターカーテンとの接触面に設置して金属と他の材料との複合材料のものとすること，ネジ止めに加えて又はこれに代えてコードガイドの固定を接着その他の固定手段を用いること等を含めて，本発明の実施に当って，シャッター，シャッターカーテン，座板スイッチ，コード巻取用コードリール，必要に応じて用いるコードガイド，その隆起部，ガイド面等の各具体的形状，構造，材質，これらの関係，これらに対する付加等は上記発明の要旨に反しない限り様々の形態とすることができる。
【図面の簡単な説明】
【００２７】
【図１】シャッターの概要を示す正面図である。
【図２】図１の縦断面図である。
【図３】天井スペースにおけるシャッターの縦断面図である。
【図４】天井スペースにおけるシャッターの要部を示す縦断面図である。
【図５】まぐさとコードリール，コードガイドの関係を示す斜視図である。
【図６】コードガイドの形態を示す斜視図である。
【符号の説明】
【００２８】
Ａ    防煙シャッター
１    シャッターカーテン
１１  シャッタースラット
１２  座板スイッチ
１３  座板
１４  タッチプレート
１５  コード
２    ガイドレール
２１  レール呑込口
３    巻取シャフト
４    モーター
５    シャッターケース
５１  まぐさ
６    コードリール
６１  側板
６２  巻取リール
６３  取付板
６４  取付台
６５  ネジ
６６  ガイドプレート
７    コードガイド
７１  隆起部
７２  ガイド面
７３  透孔
７４  固定ブロック
７５  ネジ
８    天井
８１  呑込開口
【図１】
2006257644.tif 000003
【図２】
2006257644.tif 000004
【図３】
2006257644.tif 000005
【図４】
2006257644.tif 000006
【図５】
2006257644.tif 000007
【図６】
2006257644.tif 000008